(57)【特許請求の範囲】
【請求項１】
不定期に送信されるデータを間欠的に受信するデータ通信システムにおいて、送信側は、送信の開始を示す起動信号と、前記起動信号に続いてビット同期信号であり前記起動信号より継続時間が短いプリアンブルとフレーム同期コードとデータで構成されたパケットを複数回繰り返し送信し、受信側は、第一の時間間隔ごとに前記起動信号の間欠的検出を繰り返し、前記起動信号を検出したときは、第二の時間間隔ごとの開欠的受信によって前記繰り返し送信されるパケットの少なくとも１つのプリアンブルとフレーム同期コードを検出して、データを受信するデータ通信システム。
【発明の詳細な説明】
【技術分野】
【０００１】  本発明は、受信装置の消費電力を低減したデータ通信システムに関するものである。
【背景技術】
【０００２】  無線通信などで不定期に送信されるデータを受信するデータ通信システムでは、受信装置の動作を間欠的にして受信装置の待機消費電力を低減する方法がとられている。例えば電池で動作する無線呼び出し受信装置（ポケットベル）などは、いつ呼ばれるかわからないが常時受信状態で待機していると消費電力が多くなるため間欠受信動作を行って待機時の消費電力を低減し電池の寿命を延ばしている。【０００３】  このような間欠受信の動作は、送信側で送信したいデータの前に一定時間の起動信号を送信し、受信側ではこの起動信号が継続している時間よりも少し短い時間間隔で短時間の受信動作を行い、起動信号が検出されたら受信動作を継続することで起動信号に続くデータを受信できるようにしている。【０００４】  具体的には、前記起動信号は、短時間にてその有無を判定し得る単純な信号パターン（例えば“１，０，１，０，１，０…．”の所謂プリアンブル）や、受信電波の強さ（ＲＳＳＩレベル）を測定する方法が用いられる。データは、パケット単位で送信され、パケットはビット同期を取るためのプリアンブルと、それに続くフレーム同期を取るための同期コード、送信先を示すＩＤコード、それに伝達すべき内容（ペイロード）から構成される。起動信号にビット同期を取れるパターンを用いた場合には、パケット内のプリアンブルを省略しても構わない。【０００５】  通常間欠受信の受信インターバルは、受信応答時間に支障がない範囲で長い時間に設定することで受信側の省電力効果を向上できる。そのために上記起動信号の時間は、パケット伝送に要する時間に比して極めて長いのが通例である。【０００６】  従来のシステムでは、受信側が起動信号を検出したらパケットを受信し終えるまで受信動作を継続するため、起動信号の時間が長くなると起動信号を検出した後にパケットの到来を検出するまでの平均時間も長くなり、この間電力消費の大きい受信回路を動作し続けることになる。これは、パケットの長さが同じであれば間欠受信インターバルを長くするほど顕著になってくる。【０００７】  特に、受信側が複数数存在し、送信パケット内に含ませた送信先ＩＤコードによってパケットを受信すべき受信機を特定するようなシステムの場合、受信側は、起動信号を検出した時点ではその送信信号が自分宛の物か否かまだ判断できないので、パケットを受信してＩＤコードを読み取るまで受信状態を継続しなければならない。【０００８】  結果として自分宛の送信ではなかった場合（送信先に指定された以外の全ての受信機がこれにあたる）、この間受信に費やした電力は無駄になる。このような無駄な電力消費は、間欠受信のインターバルが長いほど、またシステム内の受信機の数が増えるほど、一般的に送信されるパケット数が増えるために大きくなっていく。
【発明の開示】
【発明が解決しようとする課題】
【０００９】  本発明は、間欠受信の時間間隔が長くなっても受信側の電力消費を低減できる通信システムを提供するものである。
【課題を解決するための手段】
【００１０】  本発明では以下の手段をもって上記課題を解決する。【００１１】  不定期に送信されるデータを間欠的に受信するデータ通信システムにおいて、送信側は、送信の開始を示す起動信号と、前記起動信号に続いてビット同期信号であり前記起動信号より継続時間が短いプリアンブルとフレーム同期コードとデータで構成されたパケットを複数回繰り返し送信し、受信側は、第一の時間間隔ごとに前記起動信号の間欠的検出を繰り返し、前記起動信号を検出したときは、第二の時間間隔ごとの間欠的受信によって前記繰り返し送信されるパケットの少なくとも１つのプリアンブルとフレーム同期コードを検出して、データを受信するデータ通信システムとする。
【発明の効果】
【００１２】  本発明では、起動信号検出用の間欠受信と、起動信号検出後のパケット検出用の間欠受信を有することにより起動信号の長さに関係なくデータ受信の低消費電力化が可能である。
【発明を実施するための最良の形態】
【実施例】
【００１３】  以下に本発明の詳細を具体的事例で説明する。図１は、従来の方式による間欠受信システムの動作を表したものであり、起動信号の時間内に受信機の間欠受信タイミングが入った場合を示している。受信機がオンになったとき起動信号が検出されるので受信機は、パケットを検出するまでオンのまま保持される。パケットを検出しデータの受信が終わったところで受信機はオフになる。【００１４】  図２は、本発明による間欠受信システムの動作を表したものである。図１と同じタイミングで受信機がオンしているが、本発明による間欠受信システムでは起動信号が検出されるとすぐに受信機をオフにして、第２の間欠受信態勢に入る。第２の間欠受信時間経過後に再度オンになりパケットの検出を行う。図２では、一回目のパケット検出はまだ起動信号時間内なのでもう一度オフに戻り二回目のパケット検出でデータの受信を終える。【００１５】  図１と図２の受信機がオンになっている時間を比較すると、図２で示した本発明による受信機が従来のシステムより受信機が動作している時間が短く、消費電力が低減できていることがわかる。【００１６】  次に本発明人が行った実施例を図３、図４と数式で表し、消費電力の低減効果を説明する。以降、受信回路消費電流：２０ｍＡ、ビットレート：１９．２ｋｂｐｓとして図３で示す従来方式のタイミング図において、起動信号継続時間（Ｔａ）：３．１ｓｅｃ、間欠受信間隔（Ｔｂ）：３ｓｅｃ、パケット伝送時間（Ｔｃ）：１１ｍｓｅｃ、（パケットの内訳は、プリアンブル“１，０，１，０…”パターン３２−ｂｉｔ：１．７ｍｓｅｃ、フレーム同期コード１６−ｂｉｔ：０．８４ｍｓｅｃ、データ２０−ｂｙｔｅ：８．４ｍｓｅｃの合計１１ｍｓｅｃ）とすると、従来の方式で起動信号検出以降パケット受信に要する平均的な積算電流量は、数式１で算出される。
【数１】
0004501079.tif 000002
【００１７】  同様の構成に本発明の方式を採用した場合、図４において起動信号の後のパケット繰り返し時間（Ｔｄ）：０．５１ｓｅｃ（繰り返し数：４６回）、起動信号検出後の間欠受信間隔（Ｔｅ）：０．５ｓｅｃ、起動信号検出後の間欠受信時間（Ｔｆ）＞Ｔｃ×２：２３ｍｓｅｃとした時、起動信号検出以降パケット受信に要する平均的な積算電流量は、数式２で算出される。この事例では、積算消費電流量が従来方式に比べて１／２１以下に低減される。
【数２】
0004501079.tif 000003
【００１８】  また、パケット長が短い場合（データ量が少ない場合）、本発明のような起動信号を用いないでパケットを間欠受信間隔よりも長い時間に渡って繰り返し送信する方法がすでに既存技術として提案されているが、データ量が数ｂｙｔｅしかない場合でも、パケットにはビット同期の他にフレーム同期信号や送信先ＩＤは必須であり、それを間違いなく受信するために受信機をＯＮにしなければならない時間は、起動信号の有無を検出するために必要な受信機ＯＮ時間に比べると数倍以上の時間を必要とし、ほとんどの間欠受信期間が目的信号を受信しない（送信されて来ていない）ということを考えるとその電力消費は（起動信号を用いる方式に比して）大きくなってしまう。
【図面の簡単な説明】
【００１９】
【図１】  従来の間欠受信システム
【図２】  本発明による間欠受信システム
【図３】  従来の間欠受信システムのタイミング図
【図４】  本発明による間欠受信システムのタイミング図
【図１】
0004501079.tif 000004
【図２】
0004501079.tif 000005
【図３】
0004501079.tif 000006
【図４】
0004501079.tif 000007